【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
少なくとも１つのコンピュータ可読記憶媒体上に体現される、ユーザに対してデータを表示するユーザインターフェースであって、
データセット内のデータ要素を指す少なくとも１つのビジュアルイメージを表示するように設定された設定で変えられるビジュアルイメージ表示領域と、
前記データセットに適用できるデータスコープをそのそれぞれが示す複数の選択可能なスコープリンクを表示するように設定されたスコープメニュー表示領域と
を具備することを特徴とするユーザインターフェース。
【請求項２】
前記複数の選択可能なスコープリンクのうちの第１の選択可能なスコープリンクに従うことによって、前記ユーザが前記第１の選択可能なスコープリンクによって示される前記データスコープ内で使用可能なコンテンツの検索を開始することが可能になることを特徴とする請求項１に記載のユーザインターフェース。
【請求項３】
前記第１の選択可能なスコープリンクの選択時において、前記設定で変えられるビジュアルイメージ表示領域が、第１の多数の局所的関連データ要素を示すビジュアルイメージを表示することを特徴とする請求項２に記載のユーザインターフェース。
【請求項４】
前記複数の選択可能なスコープリンクのうちの第２の選択可能なスコープリンクの選択時において、前記設定で変えられるビジュアルイメージ表示領域が、第２の多数の局所的関連データ要素を示すビジュアルイメージを表示することを特徴とする請求項３に記載のユーザインターフェース。
【請求項５】
前記局所的関連データ要素の第１のセットは、前記局所的関連データ要素の第２のセットよりも少なくとも１つ少ないデータ要素を含み、前記局所的関連データ要素の第１のセットを示す前記ビジュアルイメージが前記局所的関連データ要素の第２のセットを示す前記ビジュアルイメージよりも大きいことを特徴とする請求項４に記載のユーザインターフェース。
【請求項６】
前記ユーザインターフェースは、コンピュータに連結された表示装置上で見えることを特徴とする請求項１に記載のユーザインターフェース。
【請求項７】
各前記ビジュアルイメージは、それによって代表される前記データ要素を含む情報への選択可能なリンクを表示することを特徴とする請求項１に記載のユーザインターフェース。
【請求項８】
前記ユーザインターフェースは、３次元ユーザインターフェースであることを特徴とする請求項１に記載のユーザインターフェース。
【請求項９】
コンピュータが実行するユーザに対してデータを表示するための方法であって、
ユーザインターフェース上に第１データセットを表示するステップと、
前記第１データセットに適用されるべきスコープの指示を受け取るステップと、
前記指示されたスコープに従って決定された第２データセットを前記ユーザインターフェース上に表示するステップと
を含むことを特徴とする方法。
【請求項１０】
前記ユーザインターフェース上に前記第１データセットを表示するステップは、３次元ユーザインターフェース上で前記第１データセットを表示することを含むことを特徴とする請求項９に記載の方法。
【請求項１１】
前記ユーザインターフェース上に前記第２データセットを表示するステップは、３次元ユーザインターフェース上で前記第２データセットを表示することを含むことを特徴とする請求項１０に記載の方法。
【請求項１２】
少なくとも１つの第１規準に基づいて、前記第１データセットおよび前記第２データセットの少なくとも１つをフィルタリング（選別）するステップをさらに含むことを特徴とする請求項９に記載の方法。
【請求項１３】
前記第１データセットは、第１の多数のデータ要素を含み、前記ユーザインターフェース上に前記第１データセットを表示するステップは、前記第１の多数のデータ要素の各データ要素がそれを示すビジュアルイメージによって表示されるように、前記第１データセットを表示することを含むことを特徴とする請求項９に記載の方法。
【請求項１４】
前記第２データセットは、第２の多数のデータ要素を含み、前記ユーザインターフェース上に前記第２データセットを表示するステップは、前記第２の多数のデータ要素の各データ要素がそれを示すビジュアルイメージによって表示されるように、前記第２データセットを表示することを含むことを特徴とする請求項１３に記載の方法。
【請求項１５】
前記第１の多数のデータ要素は、前記第２の多数のデータ要素よりも少なくとも１つ少ないデータ要素を含み、前記第１の多数のデータ要素の各データ要素を示す前記ビジュアルイメージは、前記第２の多数のデータ要素の各データ要素を示す前記ビジュアルイメージよりも大きいことを特徴とする請求項１４に記載の方法。
【請求項１６】
前記第１の多数のデータ要素の各データ要素がそれを示すビジュアルイメージによって表されるように、前記第１データセットを表示するステップは、少なくとも１つの第２規準によって決定される順序で前記第１の多数のデータ要素の各データ要素を指す前記ビジュアルイメージを表示することを含むことを特徴とする請求項１３に記載の方法。
【請求項１７】
前記第２規準は、関連、アルファベット順、日付、ファイルタイプ、お気に入り、およびジャンルのうちの少なくとも１つに基づいて決定されることを特徴とする請求項１６に記載の方法。
【請求項１８】
前記第２の多数のデータ要素の各データ要素がそれを示すビジュアルイメージによって表されるように、前記第２データセットを表示するステップは、少なくとも１つの第２規準によって決定される順序で前記第２の多数のデータ要素の各データ要素を指す前記ビジュアルイメージを表示することを含むことを特徴とする請求項１４に記載の方法。
【請求項１９】
前記第２規準は、関連、アルファベット順、日付、ファイルタイプ、お気に入り、およびジャンルのうちの少なくとも１つに基づいて決定されることを特徴とする請求項１８に記載の方法。
【請求項２０】
請求項９に記載の方法に示された各前記ステップの処理を実行するようにプログラムされていることを特徴とするコンピュータ。
【請求項２１】
コンピュータにより表示装置上にユーザインターフェースを表示するためのコンピュータ実行可能命令を格納したコンピュータ可読記憶媒体であって、該インターフェースは、ユーザに対してデータを表示し、該コンピュータ可読記憶媒体は、
ユーザインターフェース上に第１データセットを表示するためのプログラムコードと、
前記第１データセットに適用できるデータスコープをそのそれぞれが指示する複数の選択可能なスコープリンクを有するスコープメニューディスプレイを表示するためのプログラムコードと、
前記指示されたスコープに従って決定され第２データセットを前記ユーザインターフェース上に表示するためのプログラムコードと
を格納したことを特徴とするコンピュータ可読記憶媒体。
【請求項２２】
前記ユーザインターフェースの前記第１データセットを表示するための前記プログラムコードは、３次元ユーザインターフェース上に前記第１データセットを表示するためのプログラムコードを含むことを特徴とする請求項２１に記載のコンピュータ可読記憶媒体。
【請求項２３】
前記ユーザインターフェースの前記第２データセットを表示するための前記プログラムコードは、３次元ユーザインターフェース上に前記第２データセットを表示するためのプログラムコードを含むことを特徴とする請求項２１に記載のコンピュータ可読記憶媒体。
【請求項２４】
前記コンピュータ可読記憶媒体は、少なくとも１つの規準に基づいて前記第１データセットおよび前記第２データセットの少なくとも１つをフィルタリングするためのプログラムコードをさらに格納したことを特徴とする請求項２１に記載のコンピュータ可読記憶媒体。
【請求項２５】
前記ユーザインターフェース上に前記第１データセットを表示するための前記プログラムコードは、前記ユーザインターフェース上で少なくとも１つのビジュアルイメージを表示するためのプログラムコードを含み、
該ビジュアルイメージは、前記第１データセット内のデータ要素を示すことを特徴とする請求項２１に記載のコンピュータ可読記憶媒体。
【請求項２６】
前記コンピュータ可読記憶媒体は、少なくとも１つの規準によって決定される順序で前記ビジュアルイメージを表示するためのプログラムコードをさらに格納したことを特徴とする請求項２５に記載のコンピュータ可読記憶媒体。
【請求項２７】
前記ユーザインターフェース上に前記第２データセットを表示するための前記プログラムコードは、前記ユーザインターフェースで少なくとも１つのビジュアルイメージを表示するためのプログラムコードを含み、
該ビジュアルイメージは、前記第２データセット内のデータ要素を示すことを特徴とする請求項２１に記載のコンピュータ可読記憶媒体。
【請求項２８】
前記コンピュータ可読記憶媒体は、少なくとも１つの規準によって決定される順序で前記ビジュアルイメージを表示するためのプログラムコードをさらに格納したことを特徴とする請求項２７に記載のコンピュータ可読記憶媒体。